(57)【要約】【課題】コストを低減できかつレンズ性能を向上できる、画像入力装置を提供する。【解決手段】画像入力装置１０は、１３５ｍｍフィルムＦ１の画像１１ａやブローニー（２Ｂ）フィルムＦ２の画像１１ｂに向けて光を発するための光源１２、画像１１ａ，１１ｂを透過した光を検出するためのラインＣＣＤセンサ１４，１６、および画像１１ａ，１１ｂを対応するラインＣＣＤセンサ１４，１６に投影するための固定倍率レンズ１８を備える。ラインＣＣＤセンサ１４，１６は、それぞれ画像１１ａ，１１ｂの幅に応じた画素ピッチを有する。【選択図】        図２
2005026736.tif 000002
【特許請求の範囲】
【請求項１】
原稿毎に幅の異なる画像が形成されている複数の原稿から前記画像を読み取るための画像入力装置であって、
前記画像に向けて光を発するための光源、
前記画像を透過した光を検出するために前記原稿毎に設けられかつそれぞれ対応する前記原稿に形成された前記画像の幅に応じた画素ピッチを有する複数のラインＣＣＤセンサ、および
前記画像を対応する前記ラインＣＣＤセンサに投影するための固定倍率レンズを備える、画像入力装置。
【請求項２】
原稿毎に幅の異なる画像が形成されている複数の原稿から前記画像を読み取るための画像入力装置であって、
前記画像に向けて光を発するための光源、
前記画像を透過した光を検出するためのラインＣＣＤセンサ、および
前記画像を前記ラインＣＣＤセンサに投影するために前記原稿毎に設けられる複数の固定倍率レンズを備える、画像入力装置。
【発明の詳細な説明】
【０００１】
【発明の属する技術分野】
この発明は画像入力装置に関し、より特定的には、写真フィルム毎に幅の異なる画像が形成されている複数の写真フィルムから画像を読み取るフィルムスキャナ等に用いられる画像入力装置に関する。
【０００２】
【従来の技術】
写真フィルムに形成されている画像をフィルムスキャナによって読み取る場合、ラインＣＣＤ（Ｃｈａｒｇｅ  Ｃｏｕｐｌｅｄ  Ｄｅｖｉｃｅ）センサを用いて二次元的に取り込む方法が知られている。
【０００３】
【発明が解決しようとする課題】
しかし、この従来技術では、画像の幅寸法とラインＣＣＤセンサのサイズとが合致しないときには、ズームレンズ等を用いて、ＣＣＤセンサ上への画像の投影サイズを変更する必要があった。
たとえば、１３５ｍｍフィルムの画像とブローニー（２Ｂ）フィルムの画像とを、ラインＣＣＤセンサを有する１つのフィルムスキャナによって読み取る場合、１３５ｍｍフィルムの読み取りには１倍以上のレンズ倍率が、ブローニー（２Ｂ）フィルムの読み取りには１倍以下のレンズ倍率がそれぞれ必要となるため、ズームレンズを用いる必要があり、レンズ設計が複雑となり、コストが上昇し、収差やＭＴＦ等のレンズ性能を上げられなくなるという問題点があった。
それゆえに、この発明の主たる目的は、コストを低減できかつレンズ性能を向上できる、画像入力装置を提供することである。
【０００４】
【課題を解決するための手段】
上述の目的を達成するために、請求項１に記載の画像入力装置は、原稿毎に幅の異なる画像が形成されている複数の原稿から画像を読み取るための画像入力装置であって、画像に向けて光を発するための光源、画像を透過した光を検出するために原稿毎に設けられかつそれぞれ対応する原稿に形成された画像の幅に応じた画素ピッチを有する複数のラインＣＣＤセンサ、および画像を対応するラインＣＣＤセンサに投影するための固定倍率レンズを備える。
【０００５】
請求項２に記載の画像入力装置は、原稿毎に幅の異なる画像が形成されている複数の原稿から画像を読み取るための画像入力装置であって、画像に向けて光を発するための光源、画像を透過した光を検出するためのラインＣＣＤセンサ、および画像をラインＣＣＤセンサに投影するために原稿毎に設けられる複数の固定倍率レンズを備える。
なお、「原稿」とは、画像が形成されている写真フィルム等の媒体をいう。
【０００６】
請求項１に記載の画像入力装置では、各画像のサイズに合ったラインＣＣＤセンサを用いることによって、投影用レンズとしてはズームレンズではなく１つの固定倍率レンズを用いることができる。したがって、レンズ設計が容易となり、レンズ性能を向上できる。なお、複数のラインＣＣＤセンサを必要とするが、ラインＣＣＤセンサ以外の回路系を共用すれば、画像入力装置全体としてはコストを低減できる。また、ズームレンズを使用しないので変動要因が減り、セットアップも簡略化できる。
【０００７】
請求項２に記載の画像入力装置では、投影用レンズとしてズームレンズではなく固定倍率レンズを用いるので、レンズ設計が容易となり、レンズ性能を向上できる。また、ラインＣＣＤセンサは１つで足りるので、さらにコストを低減できる。また、ズームレンズを使用しないので変動要因が減り、セットアップも簡略化できる。
【０００８】
【発明の実施の形態】
以下、図面を参照して、この発明の実施の形態について説明する。
図１および図２を参照して、この発明の一実施の形態の画像入力装置１０は、１３５ｍｍフィルムＦ１に形成される画像（画像コマ）１１ａやブローニー（２Ｂ）フィルムＦ２に形成される画像（画像コマ）１１ｂに光を照射するためにたとえばＬＥＤ（Ｌｉｇｈｔ  Ｅｍｉｔｔｉｎｇ  Ｄｉｏｄｅ）からなる光源１２を含む。画像１１ａと１１ｂとのサイズ、少なくとも幅寸法は異なり、たとえば、画像１１ａは長さ３６ｍｍ×幅２４ｍｍに形成され、画像１１ｂは長さ６０ｍｍ×幅６０ｍｍに形成される。
【０００９】
光源１２から発せられて画像１１ａを透過した光の光路上に、１３５ｍｍフィルムＦ１用のラインＣＣＤセンサ１４が配置され、光源１２から発せられて画像１１ｂを透過した光の光路上に、ブローニー（２Ｂ）フィルムＦ２用のラインＣＣＤセンサ１６が配置される。
【００１０】
ラインＣＣＤセンサ１４，１６は、主走査方向すなわち写真フィルムの幅方向（写真フィルムの搬送方向に対して垂直な方向）に配列された多数のＣＣＤ素子を有する。ラインＣＣＤセンサ１４，１６は、それぞれ画像１１ａ，１１ｂの幅に応じた画素ピッチを有し、たとえば、ラインＣＣＤセンサ１４は、画素ピッチ７μｍ×５０００画素＝３５ｍｍに構成され、ラインＣＣＤセンサ１６は、画素ピッチ１０μｍ×５０００画素＝５０ｍｍに構成される。
【００１１】
ラインＣＣＤセンサ１４によって画像１１ａの透過光が検出され電気信号である画素信号に変換され、また、ラインＣＣＤセンサ１６によって画像１１ｂの透過光が検出され電気信号である画素信号に変換される。画素信号に所定の変換処理が施されて画素データが得られる。
【００１２】
また、１３５ｍｍフィルムＦ１とラインＣＣＤセンサ１４との間、あるいはブローニー（２Ｂ）フィルムＦ２とラインＣＣＤセンサ１６との間に、固定倍率レンズ１８が配置される。固定倍率レンズ１８は、これらの写真フィルムに形成されている画像１１ａ，１１ｂをそれぞれ対応するラインＣＣＤセンサ１４，１６に投影する。
【００１３】
なお、光源１２および固定倍率レンズ１８は、処理する写真フィルムの方に移動してセットできるように図示しない移動手段によって移動可能とされる。
このように画像入力装置１０では、投影用レンズとして１つの固定倍率レンズ１８を用いて幅の異なる複数の画像を読み取ることができる。
【００１４】
画像入力装置１０によれば、各画像１１ａ，１１ｂのサイズに合ったラインＣＣＤセンサ１４，１６を用いることによって、投影用レンズとしてズームレンズではなく１つの固定倍率レンズ１８を用いることができる。したがって、レンズ設計が容易となり、レンズ性能を向上できる。なお、複数のラインＣＣＤセンサ１４，１６を必要とするが、ラインＣＣＤセンサ１４，１６以外の回路系を共用すれば、画像入力装置１０全体としてはコストを低減できる。また、ズームレンズを使用しないので変動要因が減り、セットアップも簡略化できる。
【００１５】
ついで、図３および図４を参照して、この発明の他の実施形態の画像入力装置１０ａは、ブローニー（２Ｂ）フィルムＦ２用の１つのラインＣＣＤセンサ１６を１３５ｍｍフィルムＦ１の画像１１ａの読み取りとブローニー（２Ｂ）フィルムＦ２の画像１１ｂの読み取りとに共用し、投影用レンズとして１３５ｍｍフィルムＦ１用の固定倍率レンズ１８ａ，ブローニー（２Ｂ）フィルムＦ２用の固定倍率レンズ１８ｂを用いるものである。なお、ラインＣＣＤセンサ１６は、処理する写真フィルムの方に移動してセットできるように図示しない搬送手段によって搬送可能とされる。
その他の構成については、上述した画像入力装置１０と同様であるので重複説明は省略する。
【００１６】
画像入力装置１０ａによれば、投影用レンズとしてズームレンズではなく固定倍率レンズ１８ａ，１８ｂを用いるので、レンズ設計が容易となり、レンズ性能を向上できる。また、ラインＣＣＤセンサは１つで足りるので、さらにコストを低減できる。また、ズームレンズを使用しないので変動要因が減り、セットアップも簡略化できる。
【００１７】
なお、上述の実施形態では、写真フィルムとして１３５ｍｍフィルムＦ１とブローニー（２Ｂ）フィルムＦ２とが用いられる場合について説明したが、この発明は、これに限定されず、ＡＰＳフィルムと１３５ｍｍフィルムとの場合や、ＡＰＳフィルムとブローニー（２Ｂ）フィルムとの場合、さらにはこれら以外の写真フィルムの組み合わせの場合にも適用できる。
【００１８】
【発明の効果】
この発明によれば、固定倍率レンズを用いるので、レンズ設計が容易となり、レンズ性能を向上でき、コストを低減できる。
【図面の簡単な説明】
【図１】この発明の一実施形態を示す図解図である。
【図２】（ａ）は図１に示す実施形態において１３５ｍｍフィルムの画像を読み取る場合を示す図解図であり、（ｂ）は図１に示す実施形態においてブローニー（２Ｂ）フィルムの画像を読み取る場合を示す図解図である。
【図３】この発明の他の実施形態を示す図解図である。
【図４】（ａ）は図３に示す実施形態において１３５ｍｍフィルムの画像を読み取る場合を示す図解図であり、（ｂ）は図３に示す実施形態においてブローニー（２Ｂ）フィルムの画像を読み取る場合を示す図解図である。
【符号の説明】
１０，１０ａ      画像入力装置
１１ａ，１１ｂ      画像
１２      光源
１４，１６      ラインＣＣＤセンサ
１８，１８ａ，１８ｂ      固定倍率レンズ
Ｆ１      １３５ｍｍフィルム
Ｆ２      ブローニー（２Ｂ）フィルム
【図１】
2005026736.tif 000003
【図２】
2005026736.tif 000004
【図３】
2005026736.tif 000005
【図４】
2005026736.tif 000006